(57)【要約】【課題】高さを低く保つことができるカメラを提供する。【解決手段】ピント板上に結像された被写体像をペンタダハプリズム１４を介して接眼レンズにより観察に供させるファインダ光学系と、ピント板上あるいは被写体像の予定結像面近傍に配置された反射板上に配置される表示部と、表示部をペンタダハプリズムを通して照明する照明手段とを有し、該照明手段が、発光手段２５と該発光手段からの光束をペンタダハプリズムに導光して表示部を照明させる導光手段２２，２４とを具備し、発光手段と導光手段を、ペンタダハプリズムの頂点を避けた斜面１４ｂ，１４ｆに配置している。【選択図】図３
2006301103.tif 000002
【特許請求の範囲】
【請求項１】
ピント板上に結像された被写体像をペンタダハプリズムを介して接眼レンズにより観察に供させるファインダ光学系と、
前記ピント板上あるいは被写体像の予定結像面近傍に配置された反射板上に配置される表示部と、
前記表示部を前記ペンタダハプリズムを通して照明する照明手段と、
を有し、
前記照明手段により前記表示部を照明し、前記表示部の反射光を被写体像と共に前記ファインダ光学系を介して観察可能とするカメラにおいて、
前記照明手段は、発光手段と該発光手段からの光束を前記ペンタダハプリズムに導光して前記表示部を照明させる導光手段とを具備し、
前記発光手段と前記導光手段を、前記ペンタダハプリズムの頂点を避けた斜面に配置したことを特徴とするカメラ。
【請求項２】
前記発光手段を前記ペンタダハプリズムのダハ面に配置し、前記導光手段を前記ペンタダハプリズムの前上部面に配置し、前記ダハ面と前記前上部面の間の稜線を越える道程で前記発光手段からの光束を集束させる機能を、前記導光手段に持たせたことを特徴とする請求項１に記載のカメラ。
【発明の詳細な説明】
【技術分野】
【０００１】
本発明は、一眼レフカメラ、一眼レフ型デジタルスチルカメラ等のペンタダハプリズムを介して照明される表示部を有するカメラに関するものである。
【背景技術】
【０００２】
従来、多点測距の測距位置を示すスーパーインポーズ表示装置を有するカメラでは、フォーカシングスクリーン（ピント板）の予定結像面若しくはその近傍の測距位置に反射面により構成された表示部を設け、これをペンタダハプリズムの上前部より導入される照明光で選択的に反射面を照明し、その反射光をペンタダハプリズムと接眼レンズを通して確認可能にしたカメラが知られている（特許文献１）。
【特許文献１】特開平７−２４４３１７号公報
【発明の開示】
【発明が解決しようとする課題】
【０００３】
しかしながら、上記従来例のカメラにおいては、スーパーインポーズの為の照明光学系をペンタダハプリズムの頂点近傍に配置し、照明光をペンタダハプリズムの前上部面より導入する構成が採用されており、カメラ全体の高さが高くなってしまうという課題を有していた。
【０００４】
（発明の目的）
本発明の第１の目的は、高さを低く保つことのできるカメラを提供しようとするものである。
【０００５】
本発明の第２の目的は、上記第１の目的を達成すると共に、ペンタダハプリズムの前側への突出を少なくして小型化を達成したカメラを提供しようとするものである。
【課題を解決するための手段】
【０００６】
上記第１の目的を達成するために、請求項１に記載の発明は、ピント板上に結像された被写体像をペンタダハプリズムを介して接眼レンズにより観察に供させるファインダ光学系と、前記ピント板上あるいは被写体像の予定結像面近傍に配置された反射板上に配置される表示部と、前記表示部を前記ペンタダハプリズムを通して照明する照明手段とを有し、前記照明手段により前記表示部を照明し、前記表示部の反射光を被写体像と共に前記ファインダ光学系を介して観察可能とするカメラにおいて、前記照明手段は、発光手段と該発光手段からの光束を前記ペンタダハプリズムに導光して前記表示部を照明させる導光手段とを具備し、前記発光手段と前記導光手段を、前記ペンタダハプリズムの頂点を避けた斜面に配置したカメラとするものである。
【０００７】
また、上記第２の目的を達成するために、請求項２に記載の発明は、前記発光手段を前記ペンタダハプリズムのダハ面に配置し、前記導光手段を前記ペンタダハプリズムの前上部面に配置し、前記ダハ面と前記前上部面の間の稜線を越える道程で前記発光手段からの光束を集束させる機能を、前記導光手段に持たせた請求項１に記載のカメラとするものである。
【発明の効果】
【０００８】
本発明によれば、高さを低く保つことができるカメラを提供できるものである。
【発明を実施するための最良の形態】
【０００９】
本発明を実施するための最良の形態は、以下の実施例に示す通りである。
【実施例】
【００１０】
図１〜図１０は本発明の一実施例に係わるデジタルスチルカメラに係わる図であり、これらのうち、図１はカメラを横から見た断面図である。
【００１１】
図１において、１はデジタルスチルカメラ本体、２は不図示の交換レンズが結合されるマウントである。３は露光時に跳ね上がる主ミラーであり、ハーフミラーになっている。４はオートフォーカス（以下、ＡＦと記す）用の検出系に光を導く為のサブミラーであり、主ミラー３と一緒に跳ね上がる。５はシャッタであり、露光時間の制御を行う。６は光学フィルタであり、赤外光をカットする赤外カットフィルタと、偽色・偽解像を軽減するローパスフィルタが含まれている。７は撮像センサであり、ＣＣＤやＣＭＯＳ等の電気的撮像素子で構成される。８はコントロール回路であり、デジタルスチルカメラ全体のコントロールや記録等を行う。９はＡＦ検出系であり、ＡＦ一眼レフカメラで広く用いられているＴＴＬ位相差検出方式で構成されている。
【００１２】
１０は通信接点であり、不図示の交換レンズと信号の授受を行う。１１はカラー液晶パネルであり、撮影画像の確認やメニュー操作等を行う。１２は光入射面にフレネルレンズ１２ａ、光射出面にマット面１２ｂを有したフォーカシングスクリーン（ピント板）である。１３はスーパーインポーズ表示の為の表示部であるマイクロプリズムを有する反射板である。１４はペンタダハプリズムであり、該ペンタダハプリズム１４の各面を、図１０に示すように、入射面を１４ａ、二つのダハ面をそれぞれ１４ｂ，１４ｃ、側面を１４ｄ，１４ｅ、前上部面を１４ｆ、最終反射面を１４ｇ、出射面を１４ｈとする。
【００１３】
１５，１６，１７は接眼レンズであり、これらがファインダ光学系の一部を構成している。１８は測光レンズ、１９は赤外カットフィルタ、２０は測光センサであり、これらにより被写体の輝度を測定する。２１は後述するスーパーインポーズ投光系を保持する保持部、２２は後述のマスク２３、投光レンズ２４、ＬＥＤチップを有するＬＥＤ基板２５と共にスーパーインポーズ投光系を構成する投光プリズムである。投光プリズム２２の光束出射面２２ｂからスーパーインポーズ光束が投光される。
【００１４】
反射板１３には、図６に示すように、測距位置に対応する位置に測距枠１３ａ，１３ｂ，１３ｃ，１３ｄ，１３ｅ，１３ｆ，１３ｇ，１３ｈ，１３ｉの９つが配置されている。投光プリズム２２からスーパーインポーズ用の光束が上記９つの測距枠１３ａ〜１３ｉに対して選択的に投光される。反射板１３に設けられている９つの測距枠１３ａ〜１３ｉは、図７に代表的に示されているようなマイクロプリズムの集合体であり、投光プリズム２２からの光束がファインダ側に反射されて視認される。
【００１５】
図２はスーパーインポーズ投光系の配置を正面から見た図であり、２３は不要光カット用のマスク、２４は投光レンズである。投光プリズム２２の入射面２２ａと出射面２２ｂ（図１参照）の間には投光プリズム反射面２２ｃが設けられている。
【００１６】
図３は図２のＡ−Ａ断面図である。投光レンズ２４は入射面２４ａと出射面２４ｂの間に反射面２４ｃが設けられている。入射面２４ａと出射面２４ｂは曲率を持っており、本実施例では凸レンズ作用を有している。反射面２４ｃはペンタダハプリズム１４のダハ面１４ｂと前上部面１４ｆの交わる稜線より前上部面１４ｆ側に配置されている。２５はＬＥＤ基板であり、９つのＬＥＤチップが図８のように配置されている。このＬＥＤチップが選択的に発光し、対応する測距枠が照明される。なお、不図示のＬＥＤホルダーは、ＬＥＤ基板２５の位置調整機能を有しており、該ＬＥＤホルダーを介してＬＥＤ基板２５を調節可能であるので、調整時のハンドリング性が向上している。
【００１７】
９つのＬＥＤチップが配置された上記ＬＥＤ基板２５は、ペンタダハプリズム１４の頂点を避け、図３に示すように、ダハ面１４ｂの上部に配置されている。この為、カメラの全高への影響は少なくなっている。ＬＥＤ基板２５上のＬＥＤチップから出るＬＥＤ光は、投光レンズ２４の入射面２４ａに入射し、投光レンズ２４中の反射面２４ｃでペンタダハプリズム１４の前上部と略平行に反射される。反射されたＬＥＤ光は投光レンズ２４の出射面２４ｂから出射され、マスク２３を透過し、投光プリズム２２の入射面２２ａに入射する。その後、投光プリズム反射面２２ｃにより光束の向きをペンタダハプリズム１４の方向に反射され、出射面２２ｂから出射し、前上部面１４ｆよりペンタダハプリズム１４に入射し、反射板１３上の測距枠１３ａ〜１３ｉに導かれ、スーパーインポーズ表示を機能させる。
【００１８】
スーパーインポーズの基本原理は、特許文献１で説明されているもので実現できる。
【００１９】
図４および図５は、本実施例に係わるカメラの主要部分のみを示した斜視図であり、上記図１等に対応する部分には同じ番号を付してある。
【００２０】
図４および図５に示されているように、本実施例のスーパーインポーズ投光系は、ペンタダハプリズム１４の頂点の周囲を取り囲むように配置され、カメラの全高を低く抑えると共に、必要な光路長を無理なく確保している。この為、適正な投影倍率を確保でき、倍率が上がりすぎて調整敏感度が極端に上がったり、倍率が下がりすぎて全体の系が極端に大型化したりする事はない。
【００２１】
図９はペンタダハプリズム１４の前上部面１４ｆの遮光形状を示した図である。１４ｆ１が透過領域、１４ｆ２が遮光領域を示している。同図において、１４ｉが入射領域であり、透過領域１４ｆ１内のこの領域からペンタダハプリズム１４の内部に光束が投光される。１４ｊは前述した光束が前上部面１４ｆを略平行に進む領域を示しており、この領域は乱反射等で不要光がペンタダハプリズム１４内部に侵入する事を防止する為に遮光している。
【００２２】
図１に戻り、２６は上記の各要素を収納する上カバーであり、該上カバー２６にはアクセサリーシュー２７が設けられており、ストロボ等の接続が可能である。アクセサリーシュー２７は接眼レンズの真上に配置され、前述のＬＥＤ基板２５より後方に位置している。そのため、ＬＥＤ基板２５とアクセサリーシュー２７は干渉の恐れは生じない。
【００２３】
上記の構成から理解されるように、本実施例の構成では、ペンタダハプリズム１４の頂点を避けてスーパーインポーズ投光系を配置するようにしているので、上カバー２６の形状は一般的な一眼レフカメラと同様な形態とすることが可能であり、小型化を図ることができる。
【００２４】
また、投光レンズ２４に凸レンズの作用を持たせており、本構成のレイアウト上、一番狭い領域となるペンタダハプリズム１４のダハ面１４ｂと前上部面１４ｆの稜線を光束が超える場所の近傍で９点の照明光束が一番集まっているので、小型化が図られている。
【００２５】
以上説明したように、フォーカシングスクリーン１２に結像された被写体像をペンタダハプリズム１４を介して接眼レンズ１５〜１７により観察するファインダ光学系を有すると共に、フォーカシングスクリーン１２上（あるいは被写体像の予定結像面近傍）に配置された反射板上の表示部（測距枠１３ａ〜１３ｉ）を、ペンタダハプリズム１２を通して照明手段であるスーパーインポーズ投光系により照明し、表示部の反射光を被写体像と共に接眼レンズで観察可能とするカメラにおいて、スーパーインポーズ投光系が、発光手段（ＬＥＤ基板２５上のＬＥＤチップ）と該発光手段からの光束を表示部に導光して表示部を照明させる導光手段（投光プリズム２２、投光レンズ２４）を具備し、これらがペンタダハプリズム１４の頂点を避けた左右の前側ダハ面の少なくとも一方に配置される構成にしている。なお、前記導光手段は、前記発光手段から出る光束を該ペンタダハプリズム１４の前上部面１４ｆと略平行に曲げる第１の光路変更手段（投光プリズム２２）と、略平行に進む光束をペンタダハプリズム１４の前上部面に向けて投射する第２の光路変更手段（投光レンズ２４）とを具備している。
【００２６】
また、本実施例においては、表示部である測距枠は複数設けられ、ＬＥＤチップが複数の測距枠１３ａ〜１３ｉに対応して複数設けられており、前記第１の光路変換手段と第２の光路変更手段の少なくとも一方がレンズ作用（集束作用）を有し（本実施例では、第２の光路変更手段を成す投光レンズ２４）、前記ダハ面１４ｂと前記前上部面１４ｆの間の稜線を越える道程でＬＥＤチップからの光束を集束させる機能を有している。また、前記第１の光路変更手段と第２の光路変更手段の間に、有効光束以外を遮光する遮光部材（マスク２３）を有している。
【００２７】
さらに、ペンタダハプリズム１４の前上部と略平行に進む光束の領域が該ペンタダハプリズム１４の内部より見えないように遮光した構成にしている。
【００２８】
上記構成により、照明手段を構成する、発光手段と導光手段をペンタダハプリズムの頂点を避ける形で配置できるので、スーパーインポーズを内蔵したカメラの高さを低く保つことができると共に、ペンタダハプリズムの前側への突出も少なく抑えることができ、カメラの小型化を図ることができる。
【図面の簡単な説明】
【００２９】
【図１】本発明の一実施例に係わるカメラを横から見た断面図である。
【図２】本発明の一実施例に係わるカメラにおいてスーパーインポーズの投光部を示す正面図である。
【図３】図２のＡ−Ａ断面図である。
【図４】本発明の一実施例に係わるカメラにおいてスーパーインポーズの投光部を示す斜視図である。
【図５】本発明の一実施例に係わるカメラにおいてスーパーインポーズの投光部を示す斜視図である。
【図６】本発明の一実施例に係わるカメラにおける測距枠の配置図である。
【図７】本発明の一実施例に係わるカメラに係わるマイクロプリズムの代表図である。
【図８】本発明の一実施例に係わるカメラにおけるＬＥＤの配置図である。
【図９】本発明の一実施例に係わるカメラにおいてペンタダハプリズムの前上部面の構成図である。
【図１０】本発明の一実施例に係わるカメラにおいてペンタダハプリズムの各面を示す図である。
【符号の説明】
【００３０】
１      デジタルスチルカメラ本体
２      マウント
６      光学フィルタ
７      撮像センサ
８      コントロール回路
９      ＡＦ検出系
１２    フォーカシングスクリーン（ピント板）
１２ａ  フレネルレンズ
１２ｂ  マット面
１３    反射板
１３ａ〜１３ｉ    測距枠（表示部）
１４              ペンタダハプリズム
１４ｂ，１４ｃ    ダハ面
１４ｆ            前上部面
１５，１６，１７  接眼レンズ
１８    測光レンズ
１９    赤外カットフィルタ
２０    測光センサ
２２    投光プリズム（導光手段）
２４    投光レンズ（導光手段）
２５    ＬＥＤチップ（発光手段）を具備するＬＥＤ基板
２６    上カバー
２７    アクセサリーシュー
【図１】
2006301103.tif 000003
【図２】
2006301103.tif 000004
【図３】
2006301103.tif 000005
【図４】
2006301103.tif 000006
【図５】
2006301103.tif 000007
【図６】
2006301103.tif 000008
【図７】
2006301103.tif 000009
【図８】
2006301103.tif 000010
【図９】
2006301103.tif 000011
【図１０】
2006301103.tif 000012